(57)【要約】      （修正有）【課題】マットレスの内部に多数の備長炭を配設し、備長炭の調湿効果や脱臭効果などが十分に発揮できるようにするため、配設された備長炭の上部を通気性の良いクッション部材で覆い、マットレスの内部を固定し、マットレス全体を表装用カバーで覆う備長炭ベッドを提供する。【解決手段】上方が開口するマットレス１０と、マットレスの内部に配設された備長炭２０と、マットレスの内部に配設された仕切り板３０と、備長炭と仕切り板の上部側に載置されたクッション部４０と、マットレスを覆う表装用カバーからなることを特徴とする。【選択図】図１
0003218294.tif 000002
【実用新案登録請求の範囲】
【請求項１】
上方が開口するマットレスと、
前記マットレスの内部に配設された備長炭と、
前記マットレスの内部に配設された仕切り板と、
前記備長炭と前記仕切り板の上部側に載置されたクッション部と、
前記マットレスを覆う表装用カバーを備えることを特徴とする備長炭ベッド。
【請求項２】
前記表装用カバーは、上部外周にわたって開閉用チャックを備えることを特徴とする請求項１に記載の備長炭ベッド。
【請求項３】
前記備長炭は、通気性を有する袋部に封入されることを特徴とする請求項１又は請求項２に記載の備長炭ベッド。
【考案の詳細な説明】
【技術分野】
【０００１】
本考案は、使用者の睡眠中の快適な安眠と健康増進などのために、寝ている間に備長炭から放出されるマイナスイオンを体内に取り込み、または、備長炭が本来持っている調湿効果や脱臭効果などの機能を発揮させるために、マットレスの内部に備長炭が隙間なく配設された備長炭ベッドに関するものである。
【背景技術】
【０００２】
一般的に、家庭の寝具としてはベッドが使用され、マットレスが多く用いられている。しかし、近年の多くのマットレスは化学繊維などの素材でつくられているため通気性や吸湿性が低く、不眠や体調不調を訴える使用者も少なくない。さらに、使用者が就寝中に発する汗や湿気などによってマットレス内にカビやダニが発生しやすいという問題があった。
【０００３】
そこで、例えば、特許文献１では、送風機が取り付けられたマットレスが開示されている。
【先行技術文献】
【特許文献】
【０００４】
【特許文献１】特開２０１８−４７２３４号公報
【考案の概要】
【考案が解決しようとする課題】
【０００５】
しかしながら、先行特許文献１に記載のマットレスは、送風機によってマットレスに風が送り込まれるため、使用者が就寝中に発した汗などを原因とする湿気によって不快な睡眠は回避することができる。しかし、多くの場合、マットレス本体が化学繊維などを素材としているため、送風機が可動していないときは部屋の湿気などを吸収してしまい、少なからずマットレス内にダニやカビが発生するという課題があった。
【０００６】
そのため、本考案においては、上記問題点に鑑み、マットレスの内部に多数の備長炭を配設し、備長炭の調湿効果や脱臭効果などが十分に発揮できるようにするため、配設された備長炭の上部を通気性の良いクッション部材で覆い、マットレスの内部を固定し、マットレス全体を表装用カバーで覆う備長炭ベッドを提供することを目的とする。
【課題を解決するための手段】
【０００７】
〔１〕すなわち、本考案は、上方が開口するマットレス（１０）と、前記マットレス（１０）の内部に配設された備長炭（２０）と、前記マットレス（１０）の内部に配設された仕切り板（３０）と、前記備長炭（２０）と前記仕切り板（３０）の上部側に載置されたクッション部（４０）と、前記マットレス（１０）を覆う表装用カバー（５０）からなることを特徴とする備長炭ベッドである。
【０００８】
〔２〕そして、前記表装用カバー（５０）は、上部外周にわたって開閉用チャック（５１）を備えることを特徴とする前記〔１〕に記載の備長炭ベッドである。
【０００９】
〔３〕そして、前記備長炭（２０）は、通気性を有する袋部（２１）に封入されることを特徴とする前記〔１〕又は〔２〕に記載の備長炭ベッドである。
【考案の効果】
【００１０】
本考案の備長炭ベッドによれば、寝ている間に備長炭から放出されるマイナスイオンを体内に取り込むことができ、備長炭が本来持っている調湿効果や脱臭効果などの機能が発揮され、使用者は睡眠中の快適な安眠と健康増進などを期待することができる。
【図面の簡単な説明】
【００１１】
【図１】本考案の第一実施例におけるクッション部とマットレスの斜視図である。
【図２】本考案の第一実施例における備長炭ベッドの使用状態の斜視図である。
【図３】本考案の第一実施例における図２におけるA−A線断面図である。
【図４】本考案の第二実施例における備長炭の使用状態の部分拡大図である。
【考案を実施するための形態】
【００１２】
以下、本考案に係る備長炭ベッドに関する実施の形態について、添付の図面に基づいて詳しく説明する。なお、以下に説明する実施形態は、本考案を実施するに好ましい具体例であるから、技術的に種々の限定がなされているが、本考案は、以下の説明において特に考案を限定する旨が明記されていない限り、この形態に限定されるものではない。本件出願において、上下方向は、図１における上下方向に対応するものである。
【００１３】
（第一実施形態）
備長炭ベッド１は、図１、図２などに示すように、マットレス１０、備長炭２０、仕切り板３０、クッション部４０、表装用カバー５０などからなり、図１に示すように、マットレス１０の内部に備長炭２０が配設された備長炭ベッド１である。
【００１４】
マットレス１０は、略矩形状であって、上方が開口する部材である。マットレス１０の内部は仕切り板３０が配設され、仕切り板３０によって仕切られた空間に備長炭２０が隙間なく配設されている。したがって、仕切り板３０で仕切られた空間にぴったりと納まるように配設された備長炭２０は安定的に固定されるため、就寝時の使用者の動きによって備長炭２０が移動したりずれたりすることを防ぐことができ、使用者は安眠を確保することができる。
【００１５】
備長炭２０は、マットレス１０の内部に配設された部材である。備長炭２０はマットレス１０の高さ位置まで多数配設されるため、備長炭２０の調湿効果や脱臭効果などが十分に発揮される。多孔質な備長炭２０は、脱臭、除湿、空気清浄などの様々な効果を最大限に発揮させるため比較的小さいものが好ましく、使用者は睡眠中の快適な安眠と健康増進などを期待することができる。マットレス１０の内部に配設された備長炭２０は、仕切り板３０によって固定されているため、就寝時の使用者の動きによって備長炭２０が移動したりずれたりすることを防ぐことができ、使用者は安眠を確保することができる。
【００１６】
仕切り板３０は、マットレス１０の内部に配設された部材である。本実施形態において、マットレス１０の長手方向又は短手方向の少なくとも一方に沿って挿置される部材であって、マットレス１０の内側空間における長手方向又は短手方向のいずれか１つ若しくは双方の長さを有する板状の部材である。仕切り板３０の高さは、マットレス１０の高さ及びマットレス１０の内部に配設された備長炭２０の高さと略同一高さである。また、本実施形態において、複数の仕切り板３０がマットレス１０の内部に配設されている。具体的には、マットレス１０の内側空間における長手方向及び短手方向の長さと同一長さの複数の仕切り板３０が格子状に配設されているが、他の実施形態において仕切り板３０は多角形や円形その他の形状をなすものでも良い。これにより、備長炭２０が仕切り板３０によって仕切られた空間内でぴったりと納まるように固定されるため、就寝時の使用者の動きによって備長炭２０が移動したりずれたりすることを防ぐことができ、使用者は安眠を維持することができる。
【００１７】
クッション部４０は、備長炭２０と仕切り板３０の上部側に載置された部材である。クッション部４０の高さは、マットレス１０の高さよりも低い。クッション部４０とマットレス１０は係合するするため同一の略矩形状である。クッション部４０は、マットレス１０の内部に配設された仕切り板３０と、仕切り板３０によって仕切られた空間に隙間なく配設された備長炭２０を上方から覆う部材である。クッション部４０は、綿、スポンジ等のクッション素材により構成される緩衝部材である。備長炭２０はそれぞれが角を有する形状であるため、クッション部４０が角部の凸感を吸収し、使用者は備長炭の形状による違和感を感じることがなく、使用者は安眠を確保することができる。備長炭２０の効果を効率よく得るため、クッション部４０は通気性の良い素材が好ましい。本実施形態において、クッション部４０はマットレス１０の上部に覆設されているが、他の実施形態において、クッション部４０とマットレス１０の接触面に凹部と凸部を設けることによって、クッション部４０とマットレス１０を嵌合させ固定することもできる。
【００１８】
表装用カバー５０は、マットレス１０全体を覆う部材である。丈夫な厚手の生地からなり、通気性が良い素材が好ましい。表装用カバー５０の上部外周にわたって開閉用チャック５１が設けられている。開閉用チャック５１を開閉することによって表装用カバー５０は取り外しが自在で洗濯が可能なため、備長炭ベッド１を清潔に保つことができる。なお、本実施形態において、表装用カバー５０はマットレス１０全体を覆っているが、他の実施形態において上方からマットレス全体を覆い、マットレス１０の下部周辺を弾力性のあるゴムなどで絞ることによって表装用カバー５０を固定することができるものでも良い。または、クッション部４０全体を覆うシーツ状のものでも良い。
【００１９】
開閉用チャック５１は、表装用カバー５０の上部外周にわたって設けられた、マットレス１０を取り外し可能にする部材である。開閉用チャック５１を開閉することによって、表装用カバー５０を取り外すことができ、洗濯も容易で備長炭ベッド１を清潔に保つことができる。開閉用チャック５１は、ファスナーに代えて釦や面ファスナー等により取付けや取外し可能としても良い。
【００２０】
（第二実施形態）
本実施形態の備長炭ベッド１は、第一実施形態と同様に、略矩形状であって、図２などに示すように、マットレス１０、備長炭２０、仕切り板３０、クッション部４０、表装用カバー５０などからなり、図４に示すように、マットレス１０の内部に備長炭２０が配設された備長炭ベッド１である。
【００２１】
しかしながら、備長炭２０が通気性を有する袋部２１に封入され、マットレス１０の内部に小分けに配設された構造において相違する。袋部２１は、備長炭２０を封入し、小分けにして収納するための部材である。備長炭２０が封入された袋部２１は、仕切り板３０によってマットレス１０の内部の仕切られた空間にぴったりと納まるように挿置されることによって、袋部２１は安定的に固定され、就寝時の使用者の動きによって備長炭２０が移動したりずれたりすることを防ぐことができ、使用者は安眠を確保することができる。袋部２１は、通気性があれば袋状のものに限らず、箱容器状、シート状のもので備長炭２０を包み込むような形態でも良い。
【符号の説明】
【００２２】
１・・・備長炭ベッド
１０・・マットレス
２０・・備長炭
２１・・袋部
３０・・仕切り板
４０・・クッション部
５０・・表装用カバー
５１・・開閉用チャック
【図１】
0003218294.tif 000003
【図２】
0003218294.tif 000004
【図３】
0003218294.tif 000005
【図４】
0003218294.tif 000006